(57)【要約】  放射線を放出する材料サンプル（１２）の材料組成を決定する方法であって、放射線によって検出器材料中でデポジットされたエネルギーのスペクトルを記録する工程（Ｐ２）と、第１のエネルギー範囲においてデポジットされた第１のエネルギー（Ｆ１）と、第２のエネルギー範囲においてデポジットされた第２のエネルギー（Ｆ２）と、第３のエネルギー範囲においてデポジットされた第３のエネルギー（Ｆ３）とを決定する工程と、第１の色パラメータ（Ｆ１）を第１のデポジットされたエネルギーに、第２の色パラメータ（Ｆ２）を第２のデポジットされたエネルギーに、第３の色パラメータ（Ｆ３）を第３のデポジットされたエネルギーに割り当てる工程（Ｐ４）と、割り当てられた色パラメータ（Ｆ１，Ｆ２，Ｆ３）を、色パラメータに対する予め決定された値（Ｒ１，Ｒ２，Ｒ３）と比較する工程（Ｐ５）であって、予め決定された値（Ｒ１，Ｒ２，Ｒ３）は典型的には予め決定された材料組成の色パラメータに対応する工程と、を備える方法。
2009544026.tif 000002
【特許請求の範囲】
【請求項１】
放射線を放出する材料サンプル（１２）の材料組成を決定する方法であって、
（ａ）放射線によって検出器材料中でデポジットされたエネルギーのスペクトルを記録する工程（Ｐ２）と、
（ｂ）第１のエネルギー範囲においてデポジットされた第１のエネルギー（Ｆ１）と、第２のエネルギー範囲においてデポジットされた第２のエネルギー（Ｆ２）と、第３のエネルギー範囲においてデポジットされた第３のエネルギー（Ｆ３）とを決定する工程と、
（ｃ）第１の色パラメータ（Ｆ１）を前記第１のデポジットされたエネルギーに、第２の色パラメータ（Ｆ２）を前記第２のデポジットされたエネルギーに、第３の色パラメータ（Ｆ３）を前記第３のデポジットされたエネルギーに割り当てる工程（Ｐ４）と、
（ｄ）前記割り当てられた色パラメータ（Ｆ１，Ｆ２，Ｆ３）を、色パラメータに対する予め決定された値（Ｒ１，Ｒ２，Ｒ３）と比較する工程（Ｐ５）であって、前記予め決定された値（Ｒ１，Ｒ２，Ｒ３）は典型的には予め決定された材料組成の色パラメータに対応する工程と、を備えることを特徴とする方法。
【請求項２】
探索されている材料の前記材料サンプル（１２）中の存在に関する判断が、前記色パラメータ（Ｆ１，Ｆ２，Ｆ３）に依存して行われることを特徴とする、請求項１に記載の方法。
【請求項３】
少なくとも１つの予め決定された色パラメータ（Ｆ１，Ｆ２，Ｆ３）の組み合わせが、探索されている材料に割り当てられる事を特徴とする、請求項１又は２に記載の方法。
【請求項４】
さらなるエネルギー範囲においてデポジットされたさらなるエネルギーが決定され、前記さらなるエネルギーにさらなる色パラメータが割り当てられることを特徴とする、請求項１乃至３の少なくとも何れか１項に記載の方法。
【請求項５】
正確に３つのデポジットされたエネルギーと、正確に３つの色パラメータとが検出されることを特徴とする、請求項１乃至４の少なくとも何れか１項に記載の方法。
【請求項６】
前記放射線は検出器材料を備える検出器エレメントで検出され、前記エネルギー範囲間の距離は前記検出器エレメント（２）のエネルギー分解能（Ｒ（Ｅ））の関数として選択されることを特徴とする、請求項１乃至５の少なくとも何れか１項に記載の方法。
【請求項７】
前記スペクトルは、エネルギーが前記第１の検出器材料中でデポジットされる事象の、前記デポジットされたエネルギーの関数としての分布を測定することによって記録されることを特徴とする、請求項１乃至６の少なくとも何れか１項に記載の方法。
【請求項８】
前記材料サンプル（１２）を活性化するために、材料サンプル（１２）を中性子で照射する工程（Ｐ１）をさらに備えることを特徴とする、請求項１乃至７の少なくとも何れか１項に記載の方法。
【請求項９】
角度分解能をもって放射線を検出するための、前面（３）と後面（４）とを備える少なくとも１つの検出器エレメント（２）を備える検出器アセンブリ（１）が用いられることを特徴とする工程であって、
前記検出器エレメント（２）の前記前面（３）と前記後面（４）との間の空間は、複数の第１の検出器材料の領域（６）と、少なくとも１つの第２の検出器材料の領域（５）とで満たされ、それぞれの領域は前記前面（３）を前記検出器エレメントの前記後面（４）へと結びつけ、
エネルギーデポジットは少なくとも前記第１の検出器材料の前記領域（６）において、前記放射線の前記検出器エレメント（２）への入射角（α）の関数として起こる工程と、
前記第１のエネルギー範囲と前記第２エネルギー範囲との少なくとも一方の中でデポジットされたエネルギーが最大又は最小である、優先回転角が確認される工程とをさらに備えることを特徴とする、請求項１乃至８の少なくとも何れか１項に記載の方法。
【請求項１０】
前記検出器エレメント（２）に対する放射線源の方向（
【数１】
2009544026.tif 000007
）が、前記優先回転角の関数として決定されることを特徴とする、請求項９に記載の方法。
【請求項１１】
方向パラメータｒが、前記第１のデポジットされたエネルギーと前記第２のデポジットされたエネルギーとの比から決定されることを特徴とする、請求項９又は１０に記載の方法。
【請求項１２】
前記方向パラメータｒが様々な検出方向に対して決定され、それぞれの前記検出方向は実質的に前記検出器エレメント（２）の前記前面に対して垂直であることを特徴とする、請求項１１に記載の方法。
【請求項１３】
前記検出器エレメントに対する前記放射線源の方向（
【数２】
2009544026.tif 000008
）が、前記方向パラメータｒから決定されることを特徴とする、請求項１１又は１２に記載の方法。
【請求項１４】
第１の領域及び第２の領域が、活性で別々に読取可能な検出器材料を備える、検出器エレメントが使用され、前記第１、第２及び第３のエネルギー範囲に対して決定された、前記第１の検出器材料中でデポジットされた前記エネルギーと前記第２の検出器材料中でデポジットされた前記エネルギーとが、加えられることを特徴とする、請求項９乃至１３の少なくとも何れか１項に記載の方法。
【請求項１５】
材料サンプル（１２）によって放出された放射線を検出するための検出器アセンブリ（１）であって、
（ａ）活性な検出器材料を備える少なくとも１つの検出器エレメントと、
（ｂ）前記検出器エレメント（１）と連結され、前記検出器エレメントから信号を受け取る検出手段（８，７）とを備え、
（ｃ）前記検出器材料中でデポジットされたエネルギーの分布を前記信号の関数として検出し、請求項１乃至１５の少なくとも何れか１項に従う材料組成を決定するための方法を実行する評価手段（９）と、を備えることを特徴とする検出器アセンブリ（１）。
【請求項１６】
前記検出手段は、前記検出器材料からのシンチレーション光の全体を信号として検出する光測定手段（７，８）として構成されることを特徴とする、請求項１５に記載の検出器アセンブリ。
【請求項１７】
前記活性な検出器材料は、電気信号が読み取られることができる半導体検出器を形成することを特徴とする、請求項１５又は１６に記載の検出器アセンブリ（１）。
【請求項１８】
前記評価手段（９）は、既知の材料組成に対応する色パラメータの値の組み合わせが存在する格納手段（１５）を備えることを特徴とする、請求項１５乃至１７の少なくとも何れか１項に記載の検出器アセンブリ（１）。
【請求項１９】
特に荷物検査、積荷検査、地雷除去のうちの少なくとも１つのための、分析される予定の材料サンプル（１２）中、特に窒素含有材料中の爆発物の特定のための、請求項１４乃至１８の少なくとも何れか１項に従う検出器アセンブリ（１，１００，２００，３００）の使用方法。
【発明の詳細な説明】
【技術分野】
【０００１】
本発明は、放射線を放出する材料標本の材料組成を決定する方法、この方法を実装するための好適な検出アセンブリ、及びこの検出アセンブリの使用に関する。
【背景技術】
【０００２】
今日では、アルファ、ベータ及びガンマ線等の非常に様々な型の、又は電子、中性子、イオン又は原子核等の粒子の放射線が、材料標本の分析のために用いられている。この型の放射分析は、例えば隠された爆発物のような危険な物質の位置特定及び同定のために行われる。しかしながら、画像化方法と組み合わせて医療分野でも、放射測定においても、物質の構造分析の研究においても、この型の放射分析は行われる。この場合、入射方向を確かめることを可能にし、又は放射線源を検出することを可能にする放射線検出器と、それぞれの放射線源に存在する物質を特定するための方法とが、特に必要とされる。
【０００３】
今日の方法においては、実際の検出器材料の前のホール又はラメラコリメータによって、検出される入射放射線はコリメートされる（照準を合わせられる）。通常は、この型のホールコリメータは、例えば鉛、タングステン、鉄又は真鍮のような原子番号の大きい材料の、小さい直径の穴が複数備えられた板から形成される。この方法により、例えばガンマ線のみが対応するコリメータを通過し、続けて検出器に認識されることが可能となる。
【０００４】
この場合は、穴の軸と平行に、又は小さい開き角（aperture angle）で入射するガンマ線のみが評価において用いられるために、特に高い放射エネルギーにおける検出器の低感度が欠点となる。それゆえ、コリメータホール間の壁厚は、コリメータの材料、コリメータの厚さ、穴の直径及び光子のエネルギーの関数として選択されなければならない。特に２００ｋｅＶより大きいエネルギーを持つ光子に対しては、コリメータホール間に必要な壁厚は、穴の直径を超えうる。透過率、すなわちそれぞれの検出器の全表面積（前面）に対する全てのコリメータホールの断面積は、低くなるだろう。すると、吸収断面積は実際、コリメータの貫通可能な表面積を超える。検出される粒子又は放射線のエネルギーが大きいほど、透過性は好ましくなくなり、それぞれの検出器の応答可能性も低くなる。このことは特に、高いエネルギーのガンマ放射線に当てはまる。先述のコリメータに基づく検出器とともに、例えばコンプトンカメラ又はポジトロン断層法（ＰＥＴ）におけるポジトロンカメラのような、コリメーションを用いずに方向を検出する方法もまた知られている。
【０００５】
コンプトンカメラの原理は、対応する検出器システム上での放射線の入射方向を検出するために、先述の機械的なコリメーションの代わりに、電子的なコリメーションが行われることである。コンプトンカメラに入射する放射光子は、まずコンプトン散乱が起こる第１の散乱検出器を通過する。もし、散乱検出器が粒状の方法（granular manner）で設定されているなら、相互作用の位置が検出されるだろう。離れた第２の吸収検出器で、散乱された光子は完全に止められ、位置とエネルギーとを記録することが可能となる。もし散乱検出器及び吸収検出器における２つの散乱が一致することが示されたなら、その光子を放出した放射線源の位置は、頂点を散乱検出器の位置とする円錐表面に再構成される。放射線源の位置は、断層撮影法における適切な再構成アルゴリズムによって、決定されうる。この原理は、光子エネルギーが３０ＭｅＶまでのガンマ線源の測定のために、天体物理学において最初に使われた。
【０００６】
欠点は、せいぜい１回のコンプトン相互作用しか散乱検出器中で起こらないように、散乱検出器が非常に薄い必要があるということである。このことは、検出器中での相互作用の確率を実質的に減らす。さらに、光子エネルギーの吸収検出器中での完全なエネルギーデポジット（energy deposition）が保証されなければならないが、実際の検出器システムでは常に、このことは入射光子のほんの一部でしか達成されない。このことは、コンプトンカメラの効率を落とす。
【０００７】
例えばきれいにされた区域中の地雷、又は荷物若しくは積荷中に隠された爆発物等の爆発物を特定することは、方位分解能を用いる検出器の特別の応用領域である。
【０００８】
爆発物は、概して高い濃度の窒素化合物を有する。これらの窒素蓄積物の認識は概して、有機化合物やプラスチックの材料、砂又は土のようなより軽い原子に取り囲まれた状況で行われる。これらのより軽い原子は、地雷の場合には土の一部であり、又は分析される容器の主成分を構成する。これらの材料は、主に炭素（Ｃ）、窒素（Ｎ）、酸素（Ｏ）、フッ素（Ｆ）、ケイ素（Ｓｉ）、マグネシウム（Ｍｇ）等の軽い元素を含む。これらの原子は、中性子励起（中性子による活性化）下で高エネルギーのガンマ量子又はガンマ線を放出する。従来から、例えば空港において、透過Ｘ線デバイスが荷物検査のために使われている。しかし、この方法では元素に特有のシグナルは検出されず、爆発性デバイスはＸ線画像の形に基づいてしか検出されない。
【０００９】
例えば「Detection of buried landmines and hidden explosives using neutron, X-ray and gamma-ray probes」G. Nebbia and J. Gerl in europhysics news, July/August 2005, pages 119 ffにおいて、中性子を用いるＸ線後方散乱検出器及び方法が、地面中の地雷の発見のために提案されている。この事例では、例えば後方散乱された中性子又は中性子捕獲によるガンマ量子が、シンチレーションカウンタで測定される。これは概して、地面に接近して動かす必要のある大きな体積の検出器アセンブリを必要とする。これは、例えば中性子活性化によって生成されたガンマ源の、地面上の検出システムに対する方向を検出することを可能にはしない。
【００１０】
さらなる困難は、例えば窒素又は他の材料若しくは元素の組成の特徴であり、それぞれの材料サンプルの組成に関して予測し、爆発物の存在を検出するために測定された強度スペクトルからの、それぞれの放出ラインの特定にある。不利なことに、このことは高いエネルギー分解能でのエネルギー分解分光を要求する。このことは、高い技術的費用を伴い、関係する検出器の低い信頼性につながる。
【００１１】
本発明の目的はそれゆえ、検出された放射線から、予め決められた材料の存在を検出することにある。本発明のさらなる目的は、放射線の改善された検出及び評価を可能にする検出器アセンブリを提供することにある。
【発明の概要】
【課題を解決するための手段】
【００１２】
この目的は、請求項１に特定される方法の工程で、放射線を放出する材料サンプルの材料組成を決定する方法によって達成される。
【００１３】
従って本方法は、以下の方法の工程を与える。
【００１４】
（ａ）放射線によって検出器材料中でデポジットされたエネルギーのスペクトルを記録する工程と、
【００１５】
（ｂ）第１のエネルギー範囲においてデポジットされた第１のエネルギーと、第２のエネルギー範囲においてデポジットされた第２のエネルギーと、第３のエネルギー範囲においてデポジットされた第３のエネルギーとを決定する工程と、
【００１６】
（ｃ）第１の色パラメータを前記第１のデポジットされたエネルギーに、第２の色パラメータを前記第２のデポジットされたエネルギーに、第３の色パラメータを前記第３のデポジットされたエネルギーに割り当てる工程と、
【００１７】
（ｄ）前記割り当てられた色パラメータを、色パラメータに対する予め決定された値と比較する工程であって、前記予め決定された値は予め決定された材料組成の色パラメータに特徴的に対応する工程。
【００１８】
本発明に従って、第１、第２及び第３の色パラメータが、３つのデポジットされたエネルギーに割り当てられる。人間の色視覚と類似のように、デポジットされたエネルギーの強度は、このように少なくとも３つのエネルギー範囲、又は波長若しくは周波数範囲、に対して用いられる。第１のデポジットされたエネルギーは第１の色パラメータを決定し、第２のデポジットされたエネルギーは第２の色パラメータを決定し、第３のデポジットされたエネルギーは第３の色パラメータを決定する。
【００１９】
本発明に従って、探索されている材料の前記材料サンプル中の存在に関する判断がそして、好適には色パラメータに依存して行われる。この場合、予め決定された色パラメータの組み合わせが、例えば探索されている材料に対して割り当てられる。
【００２０】
例えば、活性化された材料は概して中性子で活性化された時に、検出されるためには使用される検出器の高いエネルギー分解能を要求する、特徴的なスペクトルラインを放出する。本発明に従って、検出される既知の材料のガンマ線放出スペクトルが、３つのエネルギー範囲に分割され、対応する参照色パラメータが予め決定される。検出された組み合わせと、これらの予め決定された色パラメータとを比較することにより、本発明に従って決定された、検出器エレメント中でデポジットされたエネルギーのスペクトルの色パラメータから、探索されている材料を特定することが可能になる。
【００２１】
この場合、ボリュームが例えば３次元色パラメータ空間中で確立されてもよい。もし本発明に従って決定された、３つの色パラメータから形成されたベクトルがこの型のボリュームの中に入るなら、探索されている材料は認識されていると考えられることができる。２つのエネルギー範囲の間の距離、又は２つのエネルギー範囲の間の重心は、好適には検出器エレメントのエネルギー分解能の関数として選択される。
【００２２】
本発明の好適な実施形態において、さらなるエネルギー範囲と色パラメータとが用いられ、このことは高次元の色パラメータ空間につながる。
【００２３】
本発明に従う方法の拡張において、材料サンプルが中性子の照射によって活性化される工程が、さらに提供される。
【００２４】
本発明に従う方法の有利な拡張において、前面と、後面と、前面と後面との間の第１の検出器材料と第２の検出器材料とを備える、検出器エレメントが用いられる。前記検出器エレメントの前記前面と前記後面との間の空間は、複数の第１の検出器材料の領域と、少なくとも１つの第２の検出器材料の領域とで満たされ、それぞれの領域は前記前面を前記検出器エレメントの前記後面へと結びつける。領域は、第１の検出器材料のそれぞれの領域が第２の検出器材料の少なくとも１つの領域に接するように、配置される。本発明に従って、エネルギーデポジットは少なくとも前記第１の検出器材料の前記領域において、前記放射線の前記検出器エレメントへの入射角の関数として起こる。
【００２５】
前記第１のエネルギー範囲と前記第２エネルギー範囲との少なくとも一方の中でデポジットされたエネルギーが最大又は最小である、優先回転角が確認される。すると、前記検出器エレメントに対する放射線源の方向が、前記優先回転角に基づいて決定されうる。
【００２６】
方向パラメータを、前記第１のデポジットされたエネルギーと前記第２のデポジットされたエネルギーとの比から決定するために、工程がさらに提供されることが好ましい。前記方向パラメータが様々な検出方向に対して決定されることが好ましく、それぞれの前記検出方向は実質的に前記検出器エレメントの前記前面に対して垂直である。検出器エレメントに対する放射線源の方向が、次に方向パラメータから確認される。
【００２７】
検出器エレメントがある回転角だけ回転すると、様々なエネルギー範囲における計数レート及びデポジットされたエネルギーは変化する。これらの検出特性は、検出器エレメントの優先方向が放射線源に近づく方向に回転された又は遠ざかる方向に回転されたかに依存する。スペクトルのより高いエネルギー部分に対しては、スペクトル中のそれぞれの計数レート又は強度は、検出器又は検出器の優先方向が放射線源から遠ざかって移動する時に減少する。スペクトルの低エネルギー部分で記録される事象の数は、同時に増加する。
【００２８】
第１の領域及び第２の領域が、活性で別々に読取可能な検出器材料を備える、検出器エレメントが使用されることが好ましい。この場合、前記第１、第２及び第３のエネルギー範囲に対して決定され、前記第１及び第２の検出器材料中でデポジットされたエネルギーが、加えられる。合計の信号はしたがって、異なったエネルギー範囲において最初には別々に読み取られた色パラメータに対する信号から構成される。このことは、色視覚と類似の材料分析が、より信頼性を持って実行されることを可能にする。なぜなら、データにおいて２以上のファクタの改善を達成することが可能だからである。第１の領域と第２の領域との別々に読み取られた信号は、方向分析のために同時に別々に用いられる。
【００２９】
本発明に従って、材料サンプルによって放出された放射線を検出するための検出器アセンブリが提供され、検出器アセンブリは、
【００３０】
（ａ）活性な検出器材料を備える少なくとも１つの検出器エレメントと、
【００３１】
（ｂ）前記検出器エレメントと連結され、前記検出器エレメントから信号を受け取る検出手段と、
【００３２】
（ｃ）前記検出器材料中でデポジットされたエネルギーの分布を前記信号の関数として検出し、本発明に従う材料組成を決定するための方法を実行する評価手段と、を備える。
【００３３】
以下では、検出器材料は検出器エレメントの第１の領域と第２の領域との少なくとも一方のそれぞれの幾何学的な形状を満たすどんな材料をも意味するものとして理解される。本発明の特定の実施形態においては、第１及び第２の（検出器）材料のそれぞれは、例えば特定の放射線に対する吸収特性又はシンチレータ特性のような、予め決定された物理的性質を持つ。これらの検出器材料の１つが、ガンマ量子によって叩かれた時に、例えばシンチレーレョン光のような信号を渡す活性な材料であることが好ましい。この場合、他方の検出器材料もまた活性な材料あっても、不活性な材料、即ち関連する放射線又は量子に対する吸収材料として働いてもよく、後者の場合には放射線が入射しても信号を生成しない。
【００３４】
本発明に従う検出器アセンブリの拡張において、検出手段は好適にはエネルギー分解能を持ち、シンチレーション光を信号として検出する光測定手段として構成される。この場合光測定手段は、好適には活性な検出器材料からのシンチレーション光の全体を検出する。例えば光電子増倍管のような光検出手段、又は他の信号分析手段は、こうしてシンチレーション領域中でデポジットされたエネルギーを測定する。デポジットされたエネルギーの波高スペクトルがそうして確認されてもよい。
【００３５】
代わりの実施形態においては、活性な検出器材料は半導体検出器として構成され、電気信号を読み取ることを可能とする。もし領域が半導体検出器として構成されるなら、入射光子放射線は、高速な電気信号として評価されてもよい自由電荷単体を生成する。もし半導体検出器が用いられるならば、追加の光測定手段は必要とされない。
【００３６】
前記評価手段は、好適には既知の材料組成に対応する色パラメータの値の組み合わせが存在する格納手段を備える。これらの既知の組み合わせとの比較により、評価手段は例えば爆発物のような既知の材料組成が、材料サンプル中に存在するか否かを認識する。
【００３７】
本発明はさらに、分析される材料サンプル中の爆発物の検出のため、又は地雷除去における、本発明に従う検出器アセンブリの使用法を提供する。荷物検査、積荷検査又は地雷除去において、爆発物のような窒素含有材料の検出のために用いることは、特に有利である。
【００３８】
本発明のさらなる有利な構成及び拡張は、サブクレーム及び以下で記述される実施形態の主題である。
【００３９】
以下において例として、好適な実施形態と実施例とを用い、図面を参照して、本発明がより詳細に記述される。
【図面の簡単な説明】
【００４０】
【図１】本発明に従う検出器アセンブリの第１の実施形態を示す。
【図２ａ】、
【図２ｂ】、
【図２ｃ】、
【図２ｄ】、
【図２ｅ】、
【図２ｆ】中性子活性化によって生成されるガンマラインを示す。
【図３】本発明に従う材料分析のための強度スペクトルの分割を示す。
【図４】本発明に従う方法の工程の第１のシーケンスを示す。
【図５】本発明に従う検出器エレメントを示す。
【図６】本発明に従う検出器アセンブリの第２の実施形態を示す。
【図７ａ】コンプトン散乱のクライン−仁科プロットを示す。
【図７ｂ】ガンマ強度スペクトルを示す。
【図８】検出器エレメントを通る放射線の軌跡の経路を示す。
【図９】検出器エレメント中で移動した距離とエネルギーデポジットとを示す。
【図１０】本発明に従う記録された強度スペクトルの分割を示す。
【図１１ａ】、
【図１１ｂ】、
【図１１ｃ】、
【図１１ｄ】、
【図１１ｅ】検出器エレメントの様々な幾何学的な実施形態を示す。
【図１２】本発明に従う検出器アセンブリからの記録したスペクトルのシミュレーションを示す。
【図１３】本発明に従う検出器アセンブリからの記録したスペクトルのシミュレーションを示す。
【図１４】本発明に従う方法の工程の第２のシーケンスを示す。
【図１５】本発明に従う検出器アセンブリの第３の実施形態を示す。
【図１６】本発明に従う検出器アセンブリの第４の実施形態を示す。
【発明を実施するための形態】
【００４１】
図面において、類似の又は機能的に同一の要素は、特に明記されない限り、同じ参照番号を与えられている。
【００４２】
本発明は、分析される材料サンプル中の特定の元素を認識することを可能にする。例えば地雷除去のための爆発物の検出は、本発明の特定の応用例である。
【００４３】
本発明に係る検出器アセンブリの第１の実施形態はそれゆえ、例えば地面の特定の範囲である材料サンプルに中性子を衝突させるための中性子源を提供する。衝突させられた素材はこうして活性化され、特徴的なガンマ線を放出する。
【００４４】
図１は、本発明に係る対応する検出器アセンブリ２００を示す。中性子源１１が備えられ、好適には一直線に中性子ｎを放出し、材料サンプル１２はこの中性子を照射される。中性子が捕獲された時には、これとともにガンマ量子が放出され、回転可能なように構成されていてシンチレータ材料のような活性な検出器エレメントを備える検出器エレメント２によって検出されるように、それぞれの材料サンプルにおいて核反応が起こる。活性な検出器材料でデポジットされたエネルギーの全体を測定し、測定したエネルギーを評価手段９へと送る光電子増倍管７が、この目的のために備えられる。もし、例えば検出器エレメントが方位分解能を用いるように構成されているならば、ガンマ源すなわち材料サンプル１２の位置が、角度βの回転により、角度分解能をもって決定されるかもしれない。
【００４５】
地球の表面の素材は、水素、炭素、窒素、酸素、マグネシウム、ケイ素、アルミニウムのような軽い元素を多く含む。二酸化ケイ素、珪砂、及びアルミニウムマグネシウムシリケートは、特に多く存在する。中性子のエネルギーが増加すると、これらの元素の中性子吸収断面積は減少する。４ＭｅＶ以下の中性子は、特によく捕獲される。例えば、熱中性子の吸収断面積は、炭素については３．３ｍｂ、酸素については＜０．２ｍｂ、窒素については８０ｍｂ、マグネシウムについては６３ｍｂ、ケイ素については１３０ｍｂ、アルミニウムについては２３０ｍｂである。特に窒素、マグネシウム、ケイ素及びアルミニウム元素においては、中性子捕獲は４．５〜１０ＭｅＶの間のエネルギー獲得につながる。これらの励起状態は、１以上の中間状態を経由して、ガンマ線を放出しながら基底状態に戻る。窒素のみが、角運動量ｊ＝３／２から１／２、１０ＭｅＶから１０％の確率での、直接遷移を有する。通常は、対応するガンマスペクトルにおいて、２．５から７．５ＭｅＶの間のエネルギーで、３から５の主なラインが得られる。
【００４６】
図２は、窒素、マグネシウム、ケイ素、アルミニウム及び炭素の、中性子反応又は中性子活性化の後のガンマ線の典型的な放射量（図２ａからｅ）と、対応する元素又は材料サンプルの混合物となる典型的な放射量（図２ｆ）とを示す。この事例においては、放射量は捕獲された１００の中性子あたりのガンマ量子数を与える。特に、爆発物の認識にとって重要な中性子は、４つの目立って大きいラインを５から６．５ＭｅＶの間に有し、１０．８ＭｅＶに１０％の励起を有する。
【００４７】
高分解能の分光法が、結果として得られたガンマスペクトルのそれぞれのラインを分解するために通常試され、こうして窒素貯蔵物の存在を確かめる。しかしながら、対応する検出器の高エネルギー分解能は、異なる元素のラインを区別することが可能であるためには、非常に低い応答可能性と、非常に高い装置の費用とに関連する。図２Ｆに示されるように、これらの元素のラインは互いに非常に近い。
【００４８】
本発明によれば、極めて高分解能のガンマ分光は行われないが、完全なスペクトルが記録される。それぞれのガンマラインは、それぞれの検出器エレメントにおいて広いコンプトン分布を生成するが、その分布はコンプトンエッジから低いエネルギーまで広がる。探索されている材料、例えば窒素を、中性子で活性化された材料サンプル中に検出するために、記録されたスペクトルを少なくとも３つの部分に分割し、全体の強度をこれらの３つの範囲に亘るそれぞれの場合において決定し、それぞれの強度に対して色パラメータを決定することが、本発明に従って提供される。
【００４９】
本発明に従って、色の視覚と似た認識方法が、材料サンプル中の特定の元素を検出するために用いられる。図３は例として、記録された強度スペクトル、すなわち記録された活性な検出器材料中、すなわちシンチレータ材料中でデポジットされたエネルギーの分布を示す。この事例では、ＣＥは最大エネルギーデポジットＥｍａｘについてのコンプトンエッジを示す。デポジットされたエネルギーは、最初に第１のエネルギー範囲、例えば０とＥ１との間で検出される。
【００５０】
０とＥ１の間での強度ｄＮ／ｄＥの積分がまた計算され、第１の色パラメータＦ１がこうして決定される。第２のエネルギー範囲Ｅ１からＥ２の間でデポジットされたエネルギーが計算される。すなわち、第２の色パラメータＦ２を決定するために、Ｅ１とＥ２との間での積分が計算される。最後に、本発明に従って、対応する積分を計算し、色パラメータＦ３を導出するために、Ｅ２とＥ３との間で積分が行われる。例えば、エネルギー範囲は１ＭｅＶから３ＭｅＶの間、３ＭｅＶから５ＭｅＶの間、及び５ＭｅＶより上であってもよい。
【００５１】
特徴的なスペクトルが、従って色パラメータＦ１、Ｆ２及びＦ３の特徴的な組み合わせが、例えば図２に示されるそれぞれの元素について得られる。色視覚と同じように、色の印象を伴う全体の色信号が、３つのエネルギー又は周波数範囲から得られ、これは実質的に人の色視覚における３原色である赤、緑、及び青に対応する。本発明に従って、（Ｆ１，Ｆ２，Ｆ３）の組み合わせによって、色の印象は測定されたスペクトルから決定される。
【００５２】
座標Ｆ１、Ｆ２、Ｆ３によって張られるこの型の三次元色空間においては、検出されたそれぞれの元素に対して、色空間においてベクトル、又は少なくともボリュームを割り当てることが原理的に可能である。もし、未知の材料サンプルのスペクトルに対して測定された又は計算された色パラメータ（Ｆ１，Ｆ２，Ｆ３）の組み合わせが、この型のボリューム中に現れるならば、探索されている元素が認識される。このように、使用される検出器の低いエネルギー分配能にもかかわらず、スペクトルの色分析を十分に高い計数レートで行うことができ、例えば中性子で活性化された材料サンプルの材料がこのように認識されるだろう。
【００５３】
図４は、行われる方法の工程を説明する。第１の工程Ｐ１で、中性子による活性化が行われる。続けて、それぞれの検出器材料中でデポジットされた放射エネルギーの完全なスペクトルが記録される（工程Ｐ２）。放射線は材料サンプルによって放出されている。例えば積分によって、３つのエネルギー範囲内のデポジットされたエネルギーが続けて決定され（工程Ｐ３）、対応する色パラメータＦ１、Ｆ２、Ｆ３が割り当てられる（工程Ｐ４）。それぞれの色パラメータは、例えば対応するエネルギーに釣り合うように選択されてもよいし、代わりに重み付けファクタによって最初に乗算されてもよい。参照となる組成に対する、又はそれぞれの元素に対する、既知の色パラメータの組み合わせと比較することにより、工程Ｐ５において、当てはまる元素が材料サンプル中に存在するか否かが検出される。
【００５４】
材料サンプルの、放射線を発する材料又は放射線を放出するように励起された材料の方向感度のある認識は、爆発物の検出のために特に好ましい。
【００５５】
図５は、方位分解能を用いる検出を可能にする検出器エレメント２を持つ、検出器アセンブリ１を示す。図５に従う実施形態では、立方形の検出器エレメント２は、前面３及び後面４を備える。この事例では、ガンマ線γは、大部分が前面３を通って、検出器エレメント２に到達する。
【００５６】
それぞれが第１の検出器材料と第２の検出器材料である互い違いの層５及び６が、備えられる。これらの層５及び６は、前面３を後面４へとつなぐ。例えば、層５はコンプトン散乱された電子の吸収材料から製造され、層６はシンチレータ材料から製造されてもよい。
【００５７】
シンチレータ材料によって引き起こされる光放出は、好適には検出器エレメントの後面４において測定される。測定された光の量から、又はシンチレータ材料を含む層６においてデポジットされたエネルギーから、検出器エレメントの優先方向又は優先平面に対する放射線γの入射方向を決定することが可能である。この事例では例えば層５及び６により形成される検出器エレメント２において、層の平面を横切る優先平面が特定される。
【００５８】
図６は、拡大された検出器アセンブリ１００を示す。層状の領域から構成される検出器エレメント２は、吸収材料及びシンチレーション検出材料の互い違いの層５及び６と、ガンマ放射線γの放射線源の方向に実質的に向けられた前面３とを含む。後面４には光電子増倍管７が連結され、層又は領域６からのシンチレーション光の全体を検出する。この事例では、光陰極８が検出器エレメント２の後面に接触している。
【００５９】
格納手段１５とともに、評価手段９は光電子増倍管７からのおおよその信号を読みとり、検出器領域５のシンチレータ材料においてデポジットされたエネルギーのスペクトルを特に生成する。評価手段９は、例えば適切なインタフェースを介して光電子増倍管に接続され、検出した事象の波高分析を行うコンピュータとして実装されてもよい。対応するコンピュータは、図１から４に関して説明されたように、材料組成の認識を行うこともできる。方向検出の間、シンチレータ材料中でエネルギーがデポジットされる事象はまず数えられ、デポジットされたエネルギーの関数として記録される。検出器エレメントのそれぞれのガンマ放射線源に対する優先方向の方向又は角度が、記録されたスペクトルの形から決定される。また、それぞれのガンマ線源の元素組成が決定され、又は、前面に対する放射線源の方向が、検出器エレメントのそれぞれの位置の関数として読み取り可能な信号における変化から決定されうるように、検出器エレメントが検出器要素が向けられることと回転させられることとの少なくとも一方をされる。
【００６０】
図６は、検出器エレメントの優先方向又は優先平面と、ガンマ量子の前進運動との間の入射角αを示す。この角度はまた、高エネルギーガンマ量子が入射した時に、電子が脱出する方向の優先角度でもある。本発明によれば、検出される放射線は検出器材料それ自体の中でコリメートされる。検出器エレメント２に対する複雑なコリメータは必要とされない。
【００６１】
中性子によって活性化された材料によって生成されるガンマ放射線を検出する時には、５００ｋｅＶを超えるガンマ量子のエネルギーを通常伴う。この型の光子を検出器材料中で検出する時、光子のエネルギーは概して完全には電子に転移されず、閾値エネルギーＥγ＝１０２２ｋｅＶを超える時には、光子のエネルギーは電子陽電子対にも転移される。
【００６２】
以下で、方位分解能を用いる検出器エレメントの機能、又は検出器アセンブリの機能が、部分的なガンマエネルギーの転移が起こる、平均エネルギーが１００ｋｅＶと１０ＭｅＶとの間のコンプトン散乱によって説明される。Ｅγ＜１００ｋｅＶの低いエネルギーにおいては、光電効果を介する完全なエネルギー転移が優勢であり、Ｅγ≫１ＭｅＶの高いエネルギーにおいては、対生成を介する完全なエネルギー転移が優勢である。低いガンマエネルギーにおいては、光子の方向に対して大きな外側角で生成された電子は放出される。光子エネルギーがそれぞれの反応閾値から高いほど、多くの電子、もしくは陽電子さえもが、前方角度に、すなわちガンマ光子の方向に固まって散乱される。光電効果、コンプトン効果、及び対生成のような全ての吸収プロセスの場合のように、検出される放射線のエネルギーが増加するほど、二次電子又は陽電子もまたますます前進方向へ散乱される。ガンマ光子によって生成された電子は、固体中で容易に、すなわち短い距離を介して、減速されうる。それゆえ、コリメーション又は対応する信号の方向感度のある読み取りが、より容易である。
【００６３】
方向選択は、図５及び６に示されるように、層厚が平均電子範囲よりも小さくなるように選択され、例えば層又は板として、薄片となるように形成された、様々な検出器領域のジオメトリーによって行われる。エネルギーの一部分のみが優勢なコンプトン散乱プロセルを介して検出器に転移されるために、典型的にはこの結果１−２ｃｍの板厚となる。検出板は、１つの電子が２つの異なった板において信号を生じないように、他の検出版から離されるべきである。例えばそれぞれの板が、不活性の吸収層によって活性な検出器素材から離されることによって、このことが達成されてもよい。鉛又は鉄のような強力な吸収材を用いると、概して数ミリメートルの層厚で十分である。
【００６４】
対応する検出器アセンブリは、コンプトン効果が支配的である５００ｋｅＶと１０ＭｅＶの間のエネルギー範囲について、特に好適である。しかしながら、たとえほんの少しのガンマラインがコンプトンエネルギー範囲を超えたとしても、この検出器アセンブリは適用されうる。例えば、特に、１０．８ＭｅＶの窒素ラインは検出されることができる。以下で記述される物理学的なプロセス及び検出方法は、コンプトン効果を用いて詳細に説明されるが、他のエネルギー範囲での適用にもまた適している。コンプトン効果により、光子の入射角と、生成されたコンプトン散乱された電子の脱出方向との間の、固定された関係が生じる。光子からコンプトン電子へと転移されるエネルギーΔＥは、散乱角に依存する。最大エネルギー転移ΔＥｍａｘは、１８０°での散乱の結果である。コンプトン電子はその場合、エネルギーＥｍａｘで、入射光子と同じ方向への移動を続ける。最大エネルギー転移は、次のようになる。
【数１】
2009544026.tif 000003
式中、ε＝Ｅγ／ｍｅｃ２であって、ｍｅｃ２＝５１１ｋｅＶは電子の静止質量に対応する。
【００６５】
図３Ａは、クライン−仁科プロットの一部として、散乱の角度依存性を示す。有効断面積ｄσ／ｄΩが、電子の散乱角νに対して、バーン単位でプロットされている。ガンマエネルギーが増加するにつれて、コンプトン電子はますます前進方向へと散乱される。このことは、対生成及び光電効果にも当てはまる。図３Ａでは、ε＝１、Ｅγ＝０．５１１ＭｅＶ、及びε＝５、Ｅγ＝２．５５５ＭｅＶである。ε＝１の時でも、電子は既に前進方向へ強く散乱されている。
【００６６】
コンプトン電子は、検出器材料のさらなる殻電子との衝突によってその運動エネルギーを失い、このことがイオン化につながる。二次電子とのさらなる衝突によっても、散乱の最初の前進方向は、モーメント保存のために、高いエネルギーにつながる。生成された電子は、このようにもとのガンマ量子の前進方向に脱出する確率が高い。このことにより、放出された電子の「前方カスケード」が生じる。結果として生じる二次電子は、そのエネルギーを材料にさらにデポジットし、シンチレータ検出器材料において光放出を引き起こす。これは、例えば光電子増倍管７によって記録される。生成され、評価手段９へと伝えられる、対応する電子信号は、検出器のシンチレータ材料でデポジットされるエネルギーに釣り合っている。対応する波高スペクトルは、その時コンプトンエッジと光ピークとを有する。
【００６７】
図７Ｂは、例として、エネルギーＥγのガンマ量子による散乱に対する電子のスペクトルを示す。コンプトン連続部(Compton continuum)ＣＣは、最大転移エネルギーＥｍａｘに至るまで得られ、最低エネルギーは散乱角θ＝０°において得られる。また、コンプトンエッジＣＥを形成する最大エネルギーＥｍａｘは、θ＝πである前方への散乱によって得られる。光ピークＰＰがさらに示され、光ピークＰＰはコンプトンエッジＣＥからＥｃ＝Ｅｙ−Ｅｍａｘの距離に生じる。
【００６８】
エネルギーデポジットは前面と後面との間の検出器のボリュームの全体では感知されず、シンチレータ材料を構成する特定の領域又は部分においてのみ感知される。このことは、エネルギーデポジットの方向依存的な変化が、コンプトン電子によって生じさせられ得ることを意味する。本発明によれば、それぞれのシンチレータ材料においてデポジットされたエネルギーと釣り合った光の量が、光検出器によって検出される。光電子増倍管７が、検出器エレメントのどちら側に配置されているかは、大きな違いを生まない。
【００６９】
説明を簡単にするために、最大の散乱角、すなわち１８０°、を有するコンプトン散乱プロセスのみが考察される。ＣＳＤＡモデルに照らすと、このようにして得られたコンプトン電子は、そのエネルギーを、それぞれの入射ガンマ量子の方向に伸びる経路に沿って放出する。ＣＳＤＡは、連続的減速仮定を意味する。検出器エレメントでのガンマ量子の入射角及び位置に従って、異なったエネルギーデポジットがシンチレータ材料中で生じる。
【００７０】
図８は、検出エレメント２を通る、起こり得る軌跡を示し、図９はそれぞれのシンチレータ材料中での軌跡の残る経路長ＳＳＺと、それぞれのガンマ量子のエネルギーデポジットとを示す。
【００７１】
図８において、それぞれの相互作用点Ｗ、すなわちそれぞれの１８０°コンプトン散乱の位置が、塗りつぶされた丸で示される。一点鎖線及び波線は、接近する光子を示す。塗りつぶされた矢を持つ矢印は、シンチレータ材料中でのコンプトン電子のエネルギーデポジットを示し、中の空いた矢を持つ矢印は、検出器領域５の、吸収材又は非シンチレータ材料中でのエネルギーデポジットを示す。
【００７２】
正面から、すなわち検出器材料層５、６の面に平行に入射する場合、そして軌跡Ｔ１で示されるようにガンマ量子がシンチレータ検出器材料の領域６に入る場合、検出器エレメントの１つの部分又は１つの層においてエネルギーの全体がデポジットされる。シンチレータ材料の領域におけるそれぞれのエネルギーデポジットＥｄｅｐは、図５により詳細に示される。
【００７３】
図９はまず、図８に示される軌跡Ｔ１からＴ６に対する、シンチレータ材料中での残る経路長ＳＳＺを示す。図９はさらに、シンチレータ材料中でのエネルギーデポジットＥｄｅｐの対数表現を、経路長ＳＳＺの関数として示す。
【００７４】
もし検出器領域の長さＬがＲＣＳＤＡ、すなわちそれぞれの材料中での放射線の範囲よりも大きいなら、シンチレータ材料中での最大のエネルギーデポジットは、検出器エレメントに対する軌跡Ｔ１に沿った正面からの入射に対して起こる。電子エネルギーの全体が、そうしてシンチレータ検出器材料を伴う検出器領域の１つの中でデポジットされる。このことは、コンプトン電子の全てのエネルギーに当てはまる。
【００７５】
図５に従って、軌跡Ｔ１の全範囲にわたるシンチレータ材料中でエネルギーはデポジットされ、このエネルギーは例えば付属の光電子増倍管７によって測定される。
【００７６】
入射角αが増加するにつれて、全てのエネルギーのコンプトン電子が、エネルギーの一部をシンチレータ材料中ではなく、吸収材層５の１つの中でデポジットする可能性が増加する。このことは、それぞれの電子エネルギースペクトルについて、それぞれの活性な検出器層の中での完全なエネルギーデポジットの確率を下げる。
【００７７】
例えば軌跡Ｔ４については、エネルギーデポジットはまずシンチレータ材料中で起こり、次に吸収材料又は非シンチレータ材料中で起こり、さらにもう一度シンチレータ材料中で起こる。シンチレータ中での残る軌跡長は、それゆえ軌跡Ｔ１と比べ、相当に小さくなる。
【００７８】
シンチレータ材料中でのエネルギーデポジットのグラフもまた、明白に段々を示しており、この段々は吸収材料中でのエネルギーデポジットによって引き起こされる。シンチレータ材料又は吸収材料の領域の厚みｄＳＺ及びｄＮＳＺが小さいほど、対応するシンチレータ材料部分中での不完全なエネルギーデポジットの確率が高くなる。
【００７９】
もしシンチレータ材料中でのコンプトン電子の範囲ＲＣＳＤＡが、領域の幅ｄＳＺよりも大きいなら、この角度からは最大エネルギーＥｍａｘは単一のシンチレータ部分においてもはやデポジットされないような、臨界角αｇｒが生じる。
（式２）      Ｅｄｅｐ（α≧αｇｒ）＜Ｅｄｅｐ，ｍａｘ．
【００８０】
もしシンチレータ領域及び非シンチレータ領域の幅ｄＳＺ、ｄＮＳＺがそれぞれの範囲よりも小さいなら、複数のシンチレータ部分中でエネルギーがデポジットされる確率は、入射角αが増加するにつれて増大する。ｋ＝２，３，４…のシンチレータ領域におけるエネルギーデポジットは、少なくとも距離ＳＮＳＺ≧ｋ・ｄＮＳＺ／ｓｉｎαが以前に非シンチレータ材料中でカバーされていることを必要とする。それぞれのデポジットされた電子のエネルギーは、こうして二次電子によって通過されたシンチレータ部分又は領域の数とともに減少する。この角度からはｋ＝２，３，４等のシンチレータ部分中でのエネルギーデポジットが起きるような臨界角が、それゆえ決定されてもよい。
【００８１】
もしコンプトンエッジのガンマ量子だけでなく、コンプトン電子の全てのスペクトルのディレクション放出が考慮されるなら、図３Ａに示されるように全てのコンプトン電子の強い前方への散乱が引き起こされ、モーメント保存則に従ってより穏和なガンマエネルギーでさえ発見される。このことは、検出器エレメントを放射線源に対して完全に又は正確に一直線にすることにより、低いエネルギーの電子であってもそのエネルギーを目標材料又はシンチレータ材料中で完全にデポジットすることができることを意味する。もし検出器エレメントが放射線源に対してある角度で回転させられたならば、たくさんの低エネルギー電子が吸収材料の中に入り、検出器信号に寄与することなくエネルギーを失うだろう。全体として、検出器スペクトルにおいて高いエネルギー信号が失われ、全体のスペクトルがより低いエネルギーへとシフトすることを、このことは意味する。
【００８２】
二次電子がこのように斜めに第１及び第２の領域の層又は板を通過するために、このことは、例えばＳＳＺ＝ｄＳＺ／ｓｉｎαの、層当たりの最大経路長に帰着する。電子は板長のどの点においても生成しうるために、電子がエネルギーを放出する経路は限定され、電子はそれぞれの検出器材料中でその一部のエネルギーのみを放出するかもしれないことを、このことは意味する。残るエネルギーは、隣り合った吸収材料中で放出される。このように、デポジットされたエネルギーの全体のスペクトルは、低いエネルギーへとシフトする。
【００８３】
移動可能な検出器、又は互いに異なった角度で配置される複数の検出器で、異なった入射角でのこの型のエネルギースペクトルを記録することで、検出器エレメントの優先方向又は前面がガンマ線源に対して正面に向けられた時に、高エネルギー比率が最大であるスペクトルを生成する。
【００８４】
入射放射線を使用される検出器エレメントの優先方向に対して一直線にすることは、二次電子によって検出器中でデポジットされるエネルギーのスペクトルを記録することによって行われてもよい。この目的で、検出器エレメントの様々な回転角βについて、スペクトルが記録され分析される。処理において、それぞれの回転角で記録されたスペクトルは、複数のエネルギー範囲に分割され、その範囲でデポジットされたそれぞれのエネルギーが測定される。これらのエネルギーは、以下で記述されるように、強度についての積分であると考えられてもよく、又は対応する強度ヒストグラムのインディビジュアルチャネル数がまた使われてもよい。ガンマ量子の検出器エレメントに対する正面からの入射では、散乱された二次電子さえもがガンマ方向に移動し、１つだけの検出器層にエネルギーをデポジットするために、スペクトルの高エネルギー比率は最も大きくなる。最も単純な場合には、例えばコンプトンエッジの近くの、より高いエネルギー範囲とより低いエネルギー範囲との２つのエネルギー範囲が、高エネルギー比率を推定するには十分である。
【００８５】
検出器エレメントはこうして、高エネルギー成分が最大となるようにある回転角に設定され、関連するスペクトルの低エネルギー比率は他の回転角と比べて最低になる。こうして、優先方向、又は図５、６、若しくは８に示されるように検出器が層にされる方法で構成されている場合の前面は、放射線源の方向を示す。
【００８６】
本発明に従って検出器エレメントに対する放射線の入射方向を決定するために、本発明に従う検出器に対する代わりの可能な方法では、適切な方向パラメータｒが決定され、方向パラメータｒは記録されたスペクトルの二つの積分の比に依存する。
（式３）  ｒ＝Ｉ１／Ｉ２
ここで、Ｉ１は例えばコンプトンエッジ近傍での積分を示し、Ｉ２はコンプトンエッジＣＣから十分な距離にあるコンプトン連続部中の低エネルギー領域にわたる積分を示す。この場合積分Ｉ１はそれゆえ低エネルギー範囲をカバーし、積分Ｉ２は高エネルギー範囲をカバーする。図１０は、積分
【数２】
2009544026.tif 000004
についての考えられる積分範囲を示す。この積分において、積分範囲Ｅａ及びＥｂはコンプトンエッジがあると想定されるエネルギー範囲をカバーし、積分範囲Ｅｃ及びＥｄは、前に記したように、コンプトン連続部中で範囲を定める。
【００８７】
この場合の積分範囲Ｅａ、Ｅｂ、Ｅｃ、Ｅｄの選択は、好適には検出器のエネルギー分解能Ｒ（Ｅ）＝ΔＥ／Ｅに依存する。この場合のΔＥは、モノエネルギー光子によって形成される光ピークの半値幅に対応する。エネルギー依存分解能Ｒ（Ｅ）＝ΔＥ／Ｅとして、次のことが間隔の距離、すなわちＥａとＥｂとの間の距離に対して当てはまる。
（式５）  Ｅａ−Ｅｄ＞Ｒ（Ｅａ）・Ｅａ  ａｎｄ  Ｅａ−Ｅｄ＞Ｒ（Ｅｄ）・Ｅｄ
【００８８】
それぞれの入射角は、方向パラメータｒから決定されてもよい。検出される放射線の正面からの入射、又は小さい入射角αでの入射に対しては、積分Ｉ１が優勢であり、一方入射角αが増加するにつれて方向パラメータｒは減少する。検出器エレメントの向きを変え、又は回転することによって、方向パラメータｒに対する最大値が得られるだろう。そして、検出器エレメントの優先平面に対する対応する放射線源の方向が、決定されるだろう。図５、６及び８により示されるシンチレータ材料と非シンチレータ材料とが層になった構成では、層と平行な優先平面が得られる。
【００８９】
方位分解能を用い、層でできている２つの検出器エレメントの組み合わせにおいて、検出器エレメントの優先平面はもう一つと垂直に据え付けられ、方位分解能は２つの検出器エレメントの優先平面を交差させることによって達成される。図１１は、シンチレータ検出器材料と非シンチレータ検出材料との領域の、可能な代わりの構成の例を示している。この図において陰のある領域はシンチレータ材料又は活性な検出器材料の領域を示す。
【００９０】
例えば図１１ｂは、互いに垂直に向けられた２つの検出器エレメント２を示す。もちろん、シンチレータ及び非シンチレータ検出器材料の領域を、多面体として構成することも可能である。例えば、図１１ａは実質的に正方形の底面と、吸収材料又は非シンチレータ材料５と、シンチレータ材料６とが格子状に配置された部分とを持つ、多面体のブロックを示す。図１１ｄ及び図１１ｅは検出器エレメントを示し、図１１ｄでは底面が六角形の多面体から同様に構成されており、図１１ｅでは底面が三角形の多面体から同様に構成されている。図１１ｃに示されるように、対称軸が平行となるように構成され、非シンチレータ材料によって取り囲まれた、シンチレータ材料の円筒状領域の配置もまた考えられる。図１１では、優先方向はそれぞれの場合においてベクトル
【数３】
2009544026.tif 000005
で表されている。
【００９１】
シンチレータ材料、及び吸収材又は非シンチレータ材料の領域の代わりに、半導体検出器として働く半導体材料もまた、シンチレータ材料のために使われてもよい。それぞれのデポジットされたエネルギーを特定する信号は、そのときはそのそれぞれの活性な領域から直接読み取られてもよい。
【００９２】
本発明に従う検出器アセンブリの、同様に変更された構成においては、第１及び第２の領域が活性な検出器材料を構成し、２つの領域がそれぞれ別々に読み取られることが可能である。このとき、第１の領域の材料は第２の領域の材料に対しての吸収材として働き、逆もまた同じである。この場合は２つのインタリーブされた検出器エレメントとして考えられることもでき、２つの検出器エレメントの活性な層（活性な検出器材料の領域）が互いに入り込み、歯のように互いにかみ合っている。この場合層厚は、２つの材料について同じでも異なっていてもよい。化学的に同じ、又は異なった材料組成もまた可能である。
【００９３】
図１２及び１３は、層状に構成された本発明に従う検出器エレメントについての、異なった層厚ｄＳＺ、ｄＮＳＺ及びガンマ放射線の入射角αに対する、出願人によるシミュレーション結果を示す。この場合、光子エネルギーが４ＭｅＶであるモノエネルギー光子ビームが仮定される。シミュレーションされた検出器エレメントは、実質的に図５に示される実施形態に対応し、有機シンチレータであるポリビニルトルエンの、寸法が４４×４４ｍｍ２である正方形の板の積み重ねが、それぞれの場合においてシンチレータ材料を構成する領域として仮定され、鉄が吸収材料として考えられる。
【００９４】
図１２はシンチレータ材料の部分について厚みｄＳＺ＝９．５ｍｍであって、鉄板について厚みｄＦＥ＝１．６ｍｍである、６つの板の対について、それぞれのシンチレータ材料中でデポジットされたエネルギーのスペクトルを示す。図１３は、ｄＳＺ＝２．４ｍｍであってｄＦＥ＝０．４ｍｍである２４の板の対から組み立てられる検出器エレメントに対するスペクトルを示す。本発明に従う検出器エレメントは、それゆえ約６７×４４×４４ｍｍ３という小さい体積しか持たず、よって操作が容易であり、多数の使用法がある。
【００９５】
ρＳＺ＝１．０３２ｇ／ｃｍ３の厚みと、Ｃ１０Ｈ１１の化学量論的な組成が、シンチレータ材料であるポリビニルトルエンについて仮定される。ρＦＥ＝７．８７４ｇ／ｃｍ３の厚みが、鉄について仮定される。検出器エレメントのエネルギー分解能は、Ｒ＝０として考えられる。図１２及び１３は、検出器エレメント中での事象のヒストグラム又は分布であって、合計１０６個の光子であることを明記する。この事例では、検出器エレメントのそれぞれの断面は、均等に放射線を照射される。
【００９６】
図１２の構成、すなわち６つの板の対の構成においては、入射角α＝０°及びα＝３０°において、コンプトンエッジＣＥが明確に認識されることが可能である。入射αが増加するのに従い、スペクトル中の高エネルギー事象の割合は減少する。記録されたスペクトルの形のより大きい方向依存性が、２４の板の対の構成である図１３で見られる。２４の板の対、従ってまた比較的小さい板厚では、この角度からスペクトルの形が実質的に変わるような角度である臨界角αｇｒが、図１２に従う構成よりも小さい。約３ＭｅＶで起こるピークは、対生成のダブル・エスケープ・ピークに対応し、ガンマエネルギーから１．０２２ＭｅＶ下で起こる。
【００９７】
対応する検出器アセンブリはその結果、（前に図１−４を参照して説明されたように）方向情報に加えて「色情報」が決定されることを可能にする。「色情報」は、分析される材料の元素分析に用いられる。本発明に従う層状の検出器エレメントの実施形態では、色シフトが得られ、正面からではないガンマ照射の場合には小さい信号につながる。このことは、窒素検出の場合には特に有利である。高エネルギー部分が窒素のラインについては優勢であるために、検出器の優先方向が探索されているオブジェクト、又は材料サンプルを指している時、測定されたスペクトル中で窒素のシグナルは残りの元素から特にはっきりと目立つ。
【００９８】
地雷を検出するための本発明に従う方法及び検出器アセンブリの使用は、図１４に示される、次の方法の工程を伴う。第１の工程Ｓ１において、分析される材料、例えば地面の一領域は、中性子源を用いて中性子を照射され、このことは材料中での核反応につながる。工程Ｓ２において、分析される地面の領域に対する検出器アセンブリの優先方向を設定された角度として、シンチレータ材料中でデポジットされたエネルギーが記録され、方向パラメータが決定される。このことは、複数の変えられた入射角α又は回転角に、検出器エレメントを回転することによって達成される（工程Ｓ２１）。最大の方向パラメータｒは概して、優先軸又は検出器エレメントの方向が放射線源の方を向いていることを示す。方向は最初にはこのように認識される（工程Ｓ３）。代わりに、工程Ｓ２及びＳ２１において、スペクトルのそれぞれの高エネルギー成分又は低エネルギー成分が、様々な回転角で検出される。他の回転角で記録されたスペクトルに基づき、関連するスペクトルの高エネルギー成分が最大を示す優先回転角は、検出器エレメントに関する放射線源の方向を与える。
【００９９】
続けて、色分析が工程Ｓ４で行われる。すなわち、少なくとも３つのエネルギー範囲が選択され、そこに表される検出器エレメントのシンチレータ材料中でデポジットされたエネルギーが、色パラメータＦ１、Ｆ２、Ｆ３として計算される。これら３つの得られた色パラメータＦ１、Ｆ２、Ｆ３から、窒素含有材料、特に爆発物の存在が、例えば既知の色パラメータの組み合わせと比較することにより認識されることができる。
【０１００】
同じ方法の工程の順序が、荷物又は積荷の分析において提供される。
【０１０１】
重水素−三重水素生成器又は放射性のシステムは、考えられる中性子源である。中性子生成器は、実質的に１４．４ＭｅＶのエネルギーの中性子の等方性の分布を生成する、ｔ（ｄ，ｎ）４Ｈｅの反応を用いる。しかしながら、重陽子を加速するためには、比較的大きな生成器を必要とする、３００ｋＶの電圧が必要とされる。
【０１０２】
小型の、比較的低いソース強度の中性子源として選ばれるものには、半減期２．６年で中性子エネルギー数ＭｅＶの２５２Ｃｆのような中性子放出源が含まれる。アメリシウム及びベリリウムの放射量を増加させるために、粉末状に混合されたアメリシウム−ベリリウム試料を用いることも可能である。この形の試料もまた、一様で等方性の中性子の流れの分布を与える。しかしながら、この型の中性子源を輸送する時には、重い吸収材が遮蔽のために必要とされる。
【０１０３】
この理由のために、地雷を探索している時の移動可能な使用のためには、スイッチを切られることができる中性子源が使われてもよく、２４１Ａｍのようなα線源とベリリウムターゲットとが隔離されている。箔のように大きい面積を持つように形成されたα線源の場合には、ベリリウムターゲットは短い距離離れて存在する。ベリリウムターゲットにぶつかるα粒子は衝突に際して、主に前方の方向に、２．５ＭｅＶ周辺の幅広い中性子スペクトルを生成する。α線エミッタとベリリウムターゲットとの間の距離を増加させることによって、又は吸収材を導入することによって、中性子の生成を中止することが可能である。このことは、高価な中性子遮蔽なしに、安全に運ぶことを可能にする。
【０１０４】
本発明に従う検出器アセンブリはまた、断層撮影の応用例にも用いられることができる。図１５は、本発明に従う複数の検出器エレメント２が備えられ、材料サンプル１２の周りに配置された、本発明に従う検出器アセンブリ３００を示す。材料サンプル１２は例えば、局在化した量のガンマ線放出材料を含む、１つの荷物又は積荷であればよい。ガンマ放射線源１３のようなガンマ線放出材料は、例えば爆発物のカプセルを中性子で活性化することにより生成されるだろう。
【０１０５】
関連する光電子増倍管７のそれぞれの検出器エレメントは、それぞれ評価信号ＡＳ１〜ＡＳ６を電子評価手段９へと提供する。本発明に従う方法に従って得られた様々な方向データから、ガンマ放射線源１３の位置が正確に決定されるだろう。評価手段９に連結された表示デバイス１４は、例えば材料サンプル１２に含まれているガンマ線源の画像を提供してもよい。
【０１０６】
検出器エレメント２のそれぞれの優先角度と放射線源１３との間の、少なくとも１つの角度を示す方向データを評価する時には、従来からの画像化方法に従って、画像が生成され表示されてもよい。色パラメータを確かめ、格納手段１５に保存されていてもよい既知の「色プロファイル」と比較することにより、材料組成もまた決定される。本発明に従う方法及び検出器アセンブリは、このように材料分析における優れた使用法に使われることができる。
【０１０７】
図１６は、複数の検出器エレメント２が、回転角と等しい角度βだけそれぞれが回転されるように配置されている、検出器アセンブリの第４の実施形態を示す。それぞれの検出器エレメント２は、それぞれの光電子増倍管７を介して、活性な検出器材料中のコンプトン電子のスペクトルを記録する。ガンマ線源１２に基づいて、点線によって示される検出器エレメントの優先方向に対する、それぞれの入射角α１、α２、α３がそれぞれの検出器エレメント２に対して得られる。予め決定されたエネルギー範囲において、異なった角度βで記録された検出器材料中でデポジットされたエネルギーを比較することにより、最大の高エネルギー強度が得られる方向が決定されるだろう。例えば、第１の低エネルギー範囲においてデポジットされたエネルギーが３つの検出器エレメントにおいて測定され、それぞれが比較される。第２の、より高いエネルギー範囲におけるデポジットされたエネルギーの同様の比較は、次に行われる。ガンマ放射線源はすると、記録されたスペクトル中で高エネルギー部分が低エネルギー方向へと最小量だけシフトされている検出器エレメントの、優先方向にあるものと仮定される。
【０１０８】
本発明はこのように、一方では材料サンプルの組成の決定を可能にし、他方では方向依存的な高エネルギー光子の検出を可能にし、コリメーションはそれぞれの検出器材料中で行われる。不活性の吸収材層を避けることにより、コリメーションホールによる外部でのコリメーションによるよりも、より高い効率が達成される。活性検出器材料による実際の検出器の前面に、入射ガンマ量子のためのコリメータを構築することは、このように必要とされない。本発明に従えば、検出器アセンブリの伝達を低下させる、どんな種類のコリメータも、検出器エレメントには与えられない。固定されたコリメータは特定のエネルギー範囲に対してのみ最適化されうるが、一方本発明に従う構成は柔軟に最適化されうる。従来からの入射ガンマ量子のコリメーションの代わりに、例えば対生成との少なくとも一方によって検出器材料中で生成された電子が、検出器内でコリメートされる。入射光子によって生成された電子はそれゆえより容易に、すなわちより短い距離で、それぞれの検出器材料（固体）中で減速されることもできる。同時測定が必要とされないために、より簡単な情報処理もまた可能である。特に窒素含有爆発物の励起のための中性子源と組み合わせて、例えば地雷の検出又は荷物及び積荷の分析が可能である。
【０１０９】
本発明に従う、色分析と類似の方法による材料サンプルの元素組成の決定も、簡単なやり方で可能である。
【０１１０】
検出器エレメントは、単純な標準化されたコンポーネントを用いて製造されうる。特に外部のコリメーション手段を有さない検出器エレメントの、小さな実施形態は、可搬な手段として用いることを可能にし、画像化応用例において検出空間が本発明に従う検出器エレメントに備えられることを可能にする。
【０１１１】
本発明が好適な実施形態によって詳細に説明されたが、これらに限定されるものではなく、多くの方法によって修正されてもよい。特に、詳細に記述された層の構成は変更されてもよい。検出器エレメントの優先方向に対して異なった角度で入射するガンマ放射線の軌跡において、複数の検出器材料を貫通することが必要である。この優先方向は、活性な検出器材料と吸収する検出器材料との、異なった検出器領域のそれぞれのジオメトリーによって得られる。図に示されるジオメトリーの他の修正が、この場合もちろん可能である。また活性検出器材料を読み取るためには、例として挙げると光測定手段又は光電子増倍管以外の、他のデバイスも考えられる。
【０１１２】
詳細な説明中で特定された絶対的なエネルギー範囲は、コンプトン電子の軌跡及びエネルギーデポジットを根本的に変えることなく、変更されてもよい。
【０１１３】
さらに、３より大きいエネルギー範囲を与え、対応するさらなる色パラメータを定義することも可能である。このことは、材料サンプルにおいて特定の領域が既知の材料組成又は元素に割り当てられる、「多次元色空間」を生成するだろう。各個のエネルギー領域はまた、重なっていてもよい。
【０１１４】
当然、述べられた地雷検出及び荷物の取り締まり又は断層撮影への応用の例の他に、本発明は多くの方法で用いることができる。
【符号の説明】
【０１１５】
１  検出器アセンブリ
２  検出器エレメント
３  前面
４  後面
５  第１の領域
６  第２の領域
７  光電子増倍管
８  光陰極
９  評価手段
１０  表示手段
１１  中性子源
１２  材料サンプル
１２  ガンマ放射線源
１４  表示手段
１５  格納手段
ＡＳ１−ＡＳ６  評価信号
γ  ガンマ放射線
Ｓ１−Ｓ４，Ｓ２１  方法の工程
ＣＥ  コンプトンエッジ
Ｆ１，Ｆ２，Ｆ３  色パラメータ
α  入射角
【数４】
2009544026.tif 000006
方向ベクトル
ＰＰ  光ピーク
ＳＳＺ  シンチレータ中の経路長
ＳＮＺ  吸収材中の経路長
Ｔ１−Ｔ６  軌跡
ＲＣＳＤＡ  連続的減速仮定に従う範囲
ｄＮＳＺ，ｄＳＺ  厚さ
αｇｒ  臨界角
【図１】
2009544026.tif 000009
【図２ａ】
2009544026.tif 000010
【図２ｂ】
2009544026.tif 000011
【図２ｃ】
2009544026.tif 000012
【図２ｄ】
2009544026.tif 000013
【図２ｅ】
2009544026.tif 000014
【図２ｆ】
2009544026.tif 000015
【図３】
2009544026.tif 000016
【図４】
2009544026.tif 000017
【図５】
2009544026.tif 000018
【図６】
2009544026.tif 000019
【図７ａ】
2009544026.tif 000020
【図７ｂ】
2009544026.tif 000021
【図８】
2009544026.tif 000022
【図９】
2009544026.tif 000023
【図１０】
2009544026.tif 000024
【図１１ａ】
2009544026.tif 000025
【図１１ｂ】
2009544026.tif 000026
【図１１ｃ】
2009544026.tif 000027
【図１１ｄ】
2009544026.tif 000028
【図１１ｅ】
2009544026.tif 000029
【図１２】
2009544026.tif 000030
【図１３】
2009544026.tif 000031
【図１４】
2009544026.tif 000032
【図１５】
2009544026.tif 000033
【図１６】
2009544026.tif 000034
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
放射線を放出する材料サンプルの材料組成を決定する方法であって、
放出された放射線によって検出器材料中でデポジットされたエネルギーのスペクトルを記録する工程と、
第１のエネルギー範囲においてデポジットされた第１のエネルギーと、第２のエネルギー範囲においてデポジットされた第２のエネルギーと、第３のエネルギー範囲においてデポジットされた第３のエネルギーとを決定する工程と、
第１の色パラメータを前記第１のデポジットされたエネルギーに、第２の色パラメータを前記第２のデポジットされたエネルギーに、第３の色パラメータを前記第３のデポジットされたエネルギーに割り当てる工程と、
前記割り当てられた色パラメータを、色パラメータに対する予め決定された値と比較する工程であって、前記色パラメータに対する予め決定された値は予め決定された材料組成の色パラメータに特徴的に対応する工程と、を備えることを特徴とする方法。
【請求項２】
探索されている材料が前記材料サンプル中に存在するか否かを、前記割り当てられた色パラメータの関数として決定する工程をさらに備えることを特徴とする、請求項１に記載の方法。
【請求項３】
少なくとも１つの予め決定された色パラメータの組み合わせが、探索されている材料に割り当てられることを特徴とする、請求項２に記載の方法。
【請求項４】
さらなるエネルギー範囲においてデポジットされたさらなるエネルギーを決定する工程と、
前記さらなるエネルギーにさらなる色パラメータを割り当てる工程とをさらに備えることを特徴とする、請求項１に記載の方法。
【請求項５】
正確に３つのデポジットされたエネルギーと、正確に３つの色パラメータとが検出されることを特徴とする、請求項１に記載の方法。
【請求項６】
前記放出された放射線を検出器エレメントで検出する工程であって、前記検出器エレメントは検出器材料を備える工程と、
前記エネルギー範囲間の距離を前記検出器エレメントのエネルギー分解能の関数として選択する工程とをさらに備えることを特徴とする、請求項１に記載の方法。
【請求項７】
前記スペクトルを記録する工程は、エネルギーが前記第１の検出器材料中でデポジットされる事象の、前記デポジットされたエネルギーの関数としての分布を測定する工程を備えることを特徴とする、請求項６に記載の方法。
【請求項８】
前記材料サンプルを活性化するために、前記材料サンプル上に中性子を照射する工程をさらに備えることを特徴とする、請求項１に記載の方法。
【請求項９】
検出器アセンブリで、角度分解能をもって前記放出された放射線を検出する工程をさらに備え、
前記検出器アセンブリは前面と後面とを有する少なくとも１つの検出器エレメントを備え、
前記検出器エレメントの前記前面と前記後面との間の空間は、複数の第１の検出器材料の領域と、少なくとも１つの第２の検出器材料の領域とで満たされ、それぞれの領域は前記前面を前記検出器エレメントの前記後面へと結びつけ、
エネルギーデポジットは少なくとも前記第１の検出器材料の前記領域において、前記放出された放射線の前記検出器エレメントへの入射角の関数として起こり、
前記工程はさらに、
前記第１のエネルギー範囲と前記第２エネルギー範囲との少なくとも一方の中でデポジットされたエネルギーが最大又は最小である、優先回転角を決定する工程とを備えることを特徴とする、請求項１に記載の方法。
【請求項１０】
前記検出器エレメントに対する放射線源の方向を、前記優先回転角の関数として決定する工程を備えることを特徴とする、請求項９に記載の方法。
【請求項１１】
方向パラメータを、前記第１のデポジットされたエネルギーと前記第２のデポジットされたエネルギーとの比の関数として決定する工程をさらに備えることを特徴とする、請求項９に記載の方法。
【請求項１２】
前記方向パラメータを様々な検出方向に対して決定する工程であって、それぞれの前記検出方向は実質的に前記検出器エレメントの前記前面に対して垂直である工程をさらに備えることを特徴とする、請求項１１に記載の方法。
【請求項１３】
前記検出器エレメントに対する前記放射線源の方向を、前記方向パラメータｒの関数として決定する工程をさらに備えることを特徴とする、請求項１１に記載の方法。
【請求項１４】
前記少なくとも１つの検出器エレメントの第１の領域及び第２の領域が、活性で別々に読取可能な検出器材料を備え、
前記方法は、前記第１、第２及び第３のエネルギー範囲について決定された、前記第１の検出器材料中でデポジットされた前記エネルギーと前記第２の検出器材料中でデポジットされた前記エネルギーとを加える工程をさらに備えることを特徴とする、請求項９に記載の方法。
【請求項１５】
材料サンプルによって放出された放射線を検出するための検出器アセンブリであって、
活性な検出器材料を備える少なくとも１つの検出器エレメントと、
前記検出器エレメントと連結され、前記検出器エレメントから信号を受け取る検出デバイスとを備え、
前記検出器材料中でデポジットされたエネルギーの分布を前記信号の関数として検出する評価デバイスであって、少なくとも
前記放出された放射線によって前記活性な検出器材料中でデポジットされたエネルギーのスペクトルを記録する工程と、
第１のエネルギー範囲においてデポジットされた第１のエネルギーと、第２のエネルギー範囲においてデポジットされた第２のエネルギーと、第３のエネルギー範囲においてデポジットされた第３のエネルギーとを決定する工程と、
第１の色パラメータを前記第１のデポジットされたエネルギーに、第２の色パラメータを前記第２のデポジットされたエネルギーに、第３の色パラメータを前記第３のデポジットされたエネルギーに割り当てる工程と、
前記割り当てられた色パラメータを、色パラメータに対する予め決定された値と比較する工程であって、前記色パラメータに対する予め決定された値は典型的には予め決定された材料組成の色パラメータに対応する工程と
を実行するように動作可能である評価デバイスと、
を備えることを特徴とする検出器アセンブリ。
【請求項１６】
前記検出デバイスは、前記検出器材料からのシンチレーション光の全体を信号として検出する光測定デバイスとして構成されることを特徴とする、請求項１５に記載の検出器アセンブリ。
【請求項１７】
前記活性な検出器材料は、電気信号が読み取られることができる半導体検出器を形成することを特徴とする、請求項１５に記載の検出器アセンブリ。
【請求項１８】
前記評価デバイスは、既知の材料組成に対応する色パラメータの値の組み合わせが格納される格納デバイスを備えることを特徴とする、請求項１５に記載の検出器アセンブリ。
【請求項１９】
前記少なくとも１つの検出器エレメントは前面と後面とを備え、
前記検出器エレメントの前記前面と前記後面との間の空間は、複数の第１の検出器材料の領域と、少なくとも１つの第２の検出器材料の領域とで満たされ、それぞれの領域は前記前面を前記検出器エレメントの前記後面へと結びつけ、
エネルギーデポジットは少なくとも前記第１の検出器材料の領域において、前記放出された放射線の前記検出器エレメントへの入射角の関数として起こることを特徴とする、請求項１５に記載の検出器アセンブリ。
【請求項２０】
材料サンプル中の窒素を含有する爆発物を特定するための方法であって、
活性な検出器材料を備える少なくとも１つの検出器エレメントと、前記検出器エレメントと連結され、前記検出器エレメントから信号を受け取る検出デバイスと、前記検出器材料中でデポジットされたエネルギーの分布を前記信号の関数として検出する評価デバイスとを、検出器アセンブリに備える工程と、
前記放出された放射線によって前記活性な検出器材料中でデポジットされたエネルギーのスペクトルを記録する工程と、
第１のエネルギー範囲においてデポジットされた第１のエネルギーと、第２のエネルギー範囲においてデポジットされた第２のエネルギーと、第３のエネルギー範囲においてデポジットされた第３のエネルギーとを決定する工程と、
第１の色パラメータを前記第１のデポジットされたエネルギーに、第２の色パラメータを前記第２のデポジットされたエネルギーに、第３の色パラメータを前記第３のデポジットされたエネルギーに割り当てる工程と、
前記割り当てられた色パラメータを、色パラメータに対する予め決定された値と比較する工程であって、前記色パラメータに対する予め決定された値は典型的には窒素を含有する爆発物を含む予め決定された材料組成の色パラメータに対応する工程とを備えることを特徴とする方法。
【請求項２１】
前記材料サンプルは、荷物、地雷、積荷からなる群から選択される少なくとも１つであることを特徴とする、請求項２０に記載の方法。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
本開示は、放射線を放出する材料の材料組成を決定するための方法を提供する。従って本方法は、以下の方法の工程を提供する。
【国際調査報告】
2009544026.tif 000035
2009544026.tif 000036
2009544026.tif 000037
2009544026.tif 000038
2009544026.tif 000039
2009544026.tif 000040
2009544026.tif 000041
2009544026.tif 000042
2009544026.tif 000043
2009544026.tif 000044